(57)【要約】【課題】視認性を下げずに注意喚起を行っている内容を強調し、表示だけでも充分に注意喚起が可能な給湯機リモコンを提供する。【解決手段】ポップアップ画面記憶手段１０４を用い、通常表示内容の上にオーバーラップするポップアップ表示における表示位置を決定することで、視認性を下げずに注意喚起を行っている内容を強調し、表示だけでも充分に注意喚起が可能な給湯機リモコン。【選択図】図１
2006118787.tif 000002
【特許請求の範囲】
【請求項１】
設定された温度や水位に合わせて湯を供給する給湯機リモコンであって、使用者からの操作を受け付ける入力手段と、前記操作内容を表示するための表示手段と、前記給湯機リモコンの通常表示内容を記憶する通常表示内容記憶手段と、前記通常表示内容の上にオーバーラップするポップアップ表示を行う際の画面と表示位置を記憶するポップアップ画面記憶手段と、リモコン動作を制御する制御手段とで構成されたことを特徴とする給湯機リモコン。
【請求項２】
使用者の前記入力手段からの入力状況を監視し、入力があれば直ちに前記ポップアップ画面記憶手段によるポップアップ表示を消去するための入力監視手段を備えたことを特徴とする請求項１記載の給湯機リモコン。
【請求項３】
給湯温度に関する内容をポップアップ画面に表示する請求項１または２記載の給湯機リモコン。
【請求項４】
請求項１〜３のいずれか１項に記載の給湯機リモコンが有する機能の少なくとも一部をコンピュータにより実行するためのプログラム。
【発明の詳細な説明】
【技術分野】
【０００１】
本発明は、給湯機の動作表示機能を持つ給湯機リモコンおよびそのプログラムに関するものである。
【背景技術】
【０００２】
従来から使用されている給湯機リモコンの一例（例えば、特許文献１参照）を図６を用いて説明する。図６において、６０１は表示手段、６０２は入力手段、６０３は通常表示内容記憶手段、６０４は警告音報知手段、６０５は制御手段、６０６は給湯機リモコン、６０７は自動給湯機、６０８は給湯蛇口、６０９は風呂である。
【０００３】
通常状態では、制御手段６０５は、通常表示内容記憶手段６０３にある情報に基づき、給湯機リモコン６０６の設定温度や自動給湯機６０７の動作状態などの表示を行う。使用者が出湯温度を高温（例えば６０[℃]）に設定すると、制御手段６０５は警告音報知手段６０４を用いて音による警告を行う。
【特許文献１】特開２００３−４２９６号公報
【発明の開示】
【発明が解決しようとする課題】
【０００４】
前記従来の給湯機リモコンは次のような課題を有している。給湯機リモコンは一般に台所に取り付けられることが多いが、台所には調理の終了を音で報知する調理用の家電製品が多くあり、色々な報知音がなる場所である。上記特許文献の請求項４に報知禁止手段についてふれられているように、音による報知はやかましいと感じる使用者も少なくなく、音による報知を使用者の意図で禁止されると、目的としている警告を伝えることができなくなるという課題があった。また、たとえば給湯温度を示すだけの表示のように従来の表示の仕方では注意喚起がわかりにくく十分でないという課題があった。
【課題を解決するための手段】
【０００５】
前記従来の課題を解決するために、本発明の給湯機リモコンは、ポップアップ画面記憶手段を用い、通常表示内容の上にオーバーラップするポップアップ表示における表示位置を決定することで、視認性を下げずに注意喚起を行っている内容を強調し、表示だけでも充分に注意喚起が可能な給湯機リモコンとしたものである。
【発明の効果】
【０００６】
以上のように、本発明の給湯機リモコンおよびそのプログラムによれば、ポップアップ画面記憶手段を用い、通常表示内容の上にオーバーラップするポップアップ表示における表示位置を決定することで、視認性を下げずに注意喚起を行っている内容を強調し、表示だけでも充分に注意喚起が可能な給湯機リモコンを提供することができる。
【発明を実施するための最良の形態】
【０００７】
第１の発明は、設定された温度や水位に合わせて湯を供給する給湯機リモコンであって、使用者からの操作を受け付ける入力手段と、前記操作内容を表示するための表示手段と、前記給湯機リモコンの通常表示内容を記憶する通常表示内容記憶手段と、前記通常表示内容の上にオーバーラップするポップアップ表示を行う際の画面と表示位置を記憶するポップアップ画面記憶手段と、リモコン動作を制御する制御手段とで構成された給湯機リモコンとすることにより、ポップアップ画面記憶手段を用い、通常表示内容の上にオーバーラップするポップアップ表示における表示位置を決定することで、視認性を下げずに注意喚起を行っている内容を強調し、表示だけでも充分に注意喚起が可能な給湯機リモコンとしたものである。
【０００８】
第２の発明は、使用者の前記入力手段からの入力状況を監視し、入力があれば直ちに前記ポップアップ画面記憶手段によるポップアップ表示を消去するための入力監視手段を備えた給湯機リモコンとすることにより、入力監視手段を用い、使用者からの入力があれば、使用者の意図によりすぐにポップアップ表示を消去することで、使用者にとっての警告表示への不快感を軽減し、警告に注意を払ってもらうことができる。
【０００９】
第３の発明は、給湯温度に関する内容をポップアップ画面に表示する給湯機リモコンである。そしてやけど注意など給湯温度に関する内容をポップアップ画面に表示することで高温給湯による事故を防ぐことができる。
【００１０】
第４の発明は、第１〜第３の発明のいずれかの発明において、給湯機リモコンが有する機能の少なくとも一部をコンピュータにより実行するためのプログラムとしている。そして、プログラムであるので、電気・情報機器、コンピュータ、サーバー等のハードリソースを協働させて本発明の給湯機リモコンの少なくとも一部を容易に実現することができる。また記録媒体に記録したり通信回線を用いてプログラムを配信したりすることでプログラムの配布・更新やそのインストール作業が簡単にできる。
【００１１】
以下、本発明の実施の形態について、図面を参照しながら説明する。なお、この実施の形態によって本発明が限定されるものではない。
【００１２】
（実施の形態１）
図１は、本発明の第一の実施の形態における給湯機リモコンの動作時のブロック図を示すものである。図１において、１０１は表示手段、１０２は入力手段、１０３は通常表示内容記憶手段、１０４はポップアップ画面記憶手段、１０５は制御手段、１０６は給湯機リモコン、１０７は自動給湯機、１０８は給湯蛇口、１０９は風呂である。なお、表示手段１０１には液晶、１０２にはスイッチ、１０３，１０４，１０５にはマイクロコンピュータを用いることでこの構成を容易に実現できる。
【００１３】
以下、本実施の形態の動作について説明する。通常状態では、制御手段１０５は、通常表示内容記憶手段１０３にある情報に基づき、給湯機リモコン１０６の設定温度や自動給湯機１０７の動作状態などの表示を行う。使用者が給湯蛇口１０８を開いたり、入力手段１０２により風呂１０９への給湯開始操作をすると、制御手段１０５は自動給湯機１０７へ給湯指令を伝達する。自動給湯機１０７は、指令に基づき設定された湯温での給湯を給湯蛇口１０８や風呂１０９に対して行う。
【００１４】
次に、図２〜４を用いて、通常表示内容の上にオーバーラップするポップアップ表示を行う際の画面と表示位置を記憶するポップアップ画面記憶手段１０４の働きについて説明する。
【００１５】
図２は、表示手段１０１に液晶表示される画面や、入力手段１０２の入力ボタンの一例であり、図２において、２０１は蛇口給湯温度上昇ボタン、２０２は蛇口給湯温度下降ボタン、２０３は風呂給湯温度上昇ボタン、２０４は風呂給湯温度下降ボタン、２０５は湯張り開始ボタン、２０６は電源入／切ボタンである。
【００１６】
図３において、３０１は給湯温度警告ポップアップ表示である。図４において、４０１は一般警告ポップアップ表示である。
【００１７】
使用者は電源入／切ボタン２０６でリモコン動作を開始さる。蛇口給湯温度は２０１および２０２ボタンで変更し、風呂給湯温度は２０３および２０４で変更される。風呂１０９への給湯は、湯張り開始ボタン２０５により行われる。
【００１８】
使用者が、蛇口給湯温度上昇ボタン２０１を使って、給湯蛇口１０８から給湯する温度に高温（例えば６０°Ｃ）を設定すると、制御手段１０５は、ポップアップ画面記憶手段１０４に問い合わせを行い、現在設定を行っている設定温度表示を隠すことのない位置を取得すると共に、使用者に伝えるべき内容をもった画像を取得し、図３のように設定が見える状態で、使用者へのメッセージの表示を行う。
【００１９】
また、電源入／切ボタン２０６により、給湯機リモコン１０６の動作が開始した時、制御手段１０５は、ポップアップ画面表示手段１０４に問い合わせを行い、通常表示内容記憶手段１０３が通常状態で表示している設定温度表示などを隠すことのない位置を取得すると共に、使用者に伝えるべき内容を持った画像を取得し、図４のように設定が見える状態で使用者へのメッセージ表示を行う。
【００２０】
図３、図４のように、ポップアップして表示を行うことで、使用者に注意を喚起させ、メッセージ内容をよくみてもらうことができる。
【００２１】
なお、ポップアップ表示は所定時間（例えば３秒）経過すると消去され、通常表示内容記憶手段１０３による表示状態に戻る。またポップアップ表示が目立つようにポップアップ画面部の色を周囲と異なる配色にしたり、文字サイズを大きくしてもよい。併せてポップアップ画面を出すときに報知音を伴ってもよい。
【００２２】
なお、本実施の形態では、入力手段１０２にボタンを用いたが、表示手段１０１の表示内容を押すことで操作入力を行うことができるタッチパネルを用いてもよい。
【００２３】
以上のように、ポップアップ画面記憶手段１０４を用い、通常表示内容の上にオーバーラップするポップアップ表示における表示位置を決定することで、視認性を下げずに注意喚起を行っている内容を強調し、表示だけでも充分に注意喚起が可能な給湯機リモコンを提供できる。
【００２４】
（実施の形態２）
図５は、本発明の第２の実施の形態における給湯機リモコンの動作時のブロック図である。図５において、実施の形態１と異なる点は、使用者の前記入力手段からの入力状況を監視し、入力があれば直ちに前記ポップアップ画面記憶手段によるポップアップ表示を消去するための入力監視手段５０１を設けた点である。
【００２５】
以下、本実施の形態の動作を説明する。入力監視手段５０１は、実施の形態１で説明を行ったポップアップ表示が行われている間、使用者の入力手段１０２からの入力を監視する。図３、図４のようなポップアップ表示中に、入力手段１０２から入力があると、入力監視手段５０１は制御手段１０３に指令を出し、直ちにポップアップ表示３０１、４０１を中止させる。
【００２６】
以上のように、入力監視手段５０１を用い、使用者からの入力があれば、使用者の意図によりすぐにポップアップ表示を消去することで、使用者にとっての警告表示への不快感を軽減し、警告に注意を払ってもらうことが可能な給湯機リモコンを提供できる。
【００２７】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００２８】
以上のように、本発明にかかる給湯機リモコンおよびプログラムは、ポップアップ画面記憶手段を用い、通常表示内容の上にオーバーラップするポップアップ表示における表示位置を決定することで、視認性を下げずに注意喚起を行っている内容を強調し、表示だけでも充分に注意喚起が可能となるので、給湯機以外のリモコン等の用途にも適用できる。
【図面の簡単な説明】
【００２９】
【図１】本発明の第１の実施の形態である給湯機リモコンの動作時の構成を示すブロック図
【図２】本発明の第１の実施の形態である給湯機リモコンの表示手段の表示内容を示す図
【図３】本発明の第１の実施の形態である給湯機リモコンの表示手段の表示内容を示す図
【図４】本発明の第１の実施の形態である給湯機リモコンの表示手段の表示内容を示す図
【図５】本発明の第２の実施の形態である給湯機リモコンの動作時の構成を示すブロック図
【図６】従来例である給湯機リモコンの動作時の構成を示すブロック図
【符号の説明】
【００３０】
１０１  表示手段
１０２  入力手段
１０３  通常表示内容記憶手段
１０４  ポップアップ画面記憶手段
１０５  制御手段
１０６  給湯機リモコン
１０７  自動給湯機（給湯機）
１０８  給湯蛇口
１０９  風呂
２０１  蛇口給湯温度上昇ボタン
２０２  蛇口給湯温度下降ボタン
２０３  風呂給湯温度上昇ボタン
２０４  風呂給湯温度下降ボタン
２０５  湯張り開始ボタン
２０６  電源入／切ボタン
３０１  給湯温度警告ポップアップ表示
４０１  一般警告ポップアップ表示
５０１  入力監視手段
【図１】
2006118787.tif 000003
【図２】
2006118787.tif 000004
【図３】
2006118787.tif 000005
【図４】
2006118787.tif 000006
【図５】
2006118787.tif 000007
【図６】
2006118787.tif 000008